(57)【特許請求の範囲】
【請求項１】
ルーフライナー（1）中で透明なルーフエレメント（2）の下部領域を閉めるためのスライディングヘッドライナー（3）において、スライディングヘッドライナー（3）の車室内側に平面照明ユニット（6）を設け、平面照明ユニット（6）の光度をスライディングヘッドライナー（3）が少し開いている時と完全に閉じている時との間で変更可能としたことを特徴とするスライディングヘッドライナー。
【請求項２】
平面照明ユニット（6）から独立して、透明と半透明との間で切り換えることができるスイッチ可能なガラス板（7）がルーフライナー（1）に設置されることを特徴とする請求項１のスライデングヘッドライナー。
【発明の詳細な説明】
【０００１】
【発明の属する技術分野】
本発明は、自動車のルーフライナー中で透明なルーフエレメントの下部領域を閉めるためのスライディングヘッドライナーにおいて、車両内側のスライディングヘッドライナーに平面照明ユニットを設置することを特徴とするスライディングヘッドライナーに関する。
【０００２】
【従来の技術】
ルーフライナー中で透明なルーフエレメントの下部領域を閉めるためのこの種のスライディングヘッドライナーはドイツ特許公開ＤＥ１９５１１０６６Ｃ１号公報によって公知である。この車両の屋根は透明なルーフエレメントと、透明なルーフエレメントの下部領域を選択的に開閉するためのスライディングヘッドライナーをもっている。
透明なルーフエレメントは、例えばスライディングルーフまたはガラス屋根であることができる。透明なルーフエレメントの下部領域を閉めるためにスライディングヘッドライナーはルーフエレメントの全表面を覆い、車両内部に光線が入ることを防止している。そのようにして車室内に強い太陽光線が入るのを防止する。
【０００３】
暗やみにおける車室内部の照明のためには自動車内に平面照明ユニットを付加的に設置している。平面照明ユニットは大きな平面を照明することによって、点の照明よりも影を投げかける傾向が小さい。平面照明ユニットの特殊な設計は米国特許５，０７９，６７５号公報により公知である。平面照明ユニットは平面上に均一な光を分配し、一つの物体又は一つの部屋を照明するのに役立つ。平面照明ユニットは少なくとも一つの窓ガラスを有し少なくとも窓ガラスの一方に光源を設置してあり、そのまわりに光線を窓ガラスに反射させる反射体が設置してある。窓ガラス内には傾斜した反射面が設計してあって平行に入射する光線を９０°の角度で反射する。それによって光は好ましい方向に照射される。透明な窓ガラスの好ましい方向に向き合う反対側には反射体が設置されており、その上に入射する光を所望の放射方向に反射しそれによって一方向に均一で強い光線放射を達成する。
【０００４】
この種のスライディングヘッドライナーでは、自動車内に光線が入るのを防止するため、あるいは車室内部に日陰を作るためにスライディングヘッドライナーで透明なルーフエレメントを閉める場合に車両の屋根の内側の広い領域をスライディングヘッドライナーで覆うという欠点がある。照明、特に平面照明ユニットをルーフエレメントに付加的に設置するための場所があまりない。
【０００５】
【発明が解決しようとする課題】
本発明の課題は透明なルーフエレメントの下部の領域を閉めるためのスライディングヘッドライナーを形成し、特に暗やみにおいて車室内の好適な照明を作り出すことにある。
【０００６】
【問題を解決するための手段】
本発明によれば、この課題は特許請求の範囲第１項に記載の特徴によって解決される。更に特許請求の範囲第２項以下に記載の特徴によって本発明の目的物の好適な形態が特徴づけられている。
【０００７】
この構成の実質的な利点は、スライディングヘッドライナーに平面照明ユニットを設置することによって、平面照明ユニットを別に設置するために必要な余分のスペースをルーフライナーに必要としないという点にある。スライディングヘッドライナーを車体の屋根に設けられた収納スペースに挿入することにより平面照明ユニットの面積を減少させることができる。それによって室内の照明のために所望の光量を設定することができる。
【０００８】
本発明を図面を参照して実施例によって更に詳細に説明する。
【０００９】
【発明の実施の形態】
図１にはルーフライナー１の断面略図を示してある。ルーフライナー１は透明なルーフエレメント２を有し、そこで透明なルーフエレメント２の下部領域をスライディングヘッドライナー３で閉めることができる。透明なルーフエレメント２は例えばガラス屋根または透明な材料からなるスライディングルーフである。スライディングヘッドライナー３はルーフ本体４に設けられた収納スペース５に矢印の方向に挿入される。この挿入は手動にて、または車室内部に設置された操作エレメントによって操作することのできる電気駆動の方法で実施することができる。スライディングヘッドライナー３にはスライディングヘッドライナー３の表面の大部分または全表面を覆う平面照明ユニット６が自動車の内部空間の側に設置されている。平面照明ユニット６は電気ルミネッセントフォイルまたは米国特許第５，０７９，６７５号に記載されているような照明ユニットから形成される。しかしどんな平面照明ユニットの所望の実施形態でも可能である。スライディングヘッドライナー３が動く場合には平面照明ユニット６も一緒に動く。ルーフ本体４に設けられた収納スペース５にスライディングヘッドライナー３を挿入する際には、即ちここではスライディングヘッドライナー３を開けるということであるが、平面照明ユニット６も一緒に収納スペース５内に挿入される。スライディングヘッドライナー３が透明なルーフエレメント２の全体を覆っている場合には、平面照明ユニット６の全表面を車室内部の照明のために使用することができる。平面照明ユニット６を点灯するには、好ましくは車室内部に運転者または助手席同乗者が容易に使用しうるように設置されたスイッチの操作によって行う。スライディングヘッドライナー３の運動のために電気駆動を設計する場合には、自動車を開ける際に自動的にスライディングヘッドライナー３を閉め平面照明ユニット６のスイッチを入れるように運転機構を設計することができる。自動車内に適当な操作エレメントを設計し、それによってスライディングヘッドライナー３を所望の位置に矢印の方向に動かすことができる。その場合、平面照明ユニット６は、スライディングヘッドライナー３が完全に閉められた時にはじめて作動するか、または平面照明ユニットが作動している時に、スライディングヘッドライナー３は部分的に開けることができる。この第二の実施形態は平面照明ユニット６の照明の強さを変化させることができるという有利さがある。スライディングヘッドライナー３を少し開けた場合には照明の強さはスライディングヘッドライナー３を完全に閉めた場合よりも小さい。照明強度を変えるために平面照明ユニット６をうす暗くすることもできる。
【００１０】
図２は図１に記載したルーフライナー１の断面の側面図を示す。ルーフ本体４に透明なルーフエレメント２が設置され、車両の内側にスライディングヘッドライナー３で封鎖されている。強い太陽光線の下では、スライディングヘッドライナー３で陰を作ることによって自動車室内が過剰に熱せられるのを防止する。スライディングヘッドライナー３を開ける場合にはスライディングヘッドライナー３はルーフ本体４にそのために設けられた収納スペース５に挿入される。スライディングヘッドライナー３には自動車の内側に平面照明ユニット６を設置し、これはスイッチを入れると車室内部を照明する。この平面照明ユニット６はスライディングヘッドライナー３の表面の大部分に伸びている。スライディングヘッドライナー３が動くと、対応して平面照明ユニット６も一緒に動き、スライディングヘッドライナー３を開くと一緒に収納スペース５に挿入される。
【００１１】
図３は図２と同様の側面図を示し、ここでは更に付加的にスライディングヘッドライナー３の下部にスイッチ可能なガラス板７を設置してある。このスイッチ可能なガラス板７は、スライディングヘッドライナー３から独立して設けられ、その結果、スイッチ可能なガラス板７とは別にスライディングヘッドライナー３と平面照明ユニット６とが動くことができる。スイッチ可能なガラス板７は透明と半透明との間で切り換えることができる。これらの状態の間の切換えは例えば、車室内で操作エレメントによって実施される。スライディングヘッドライナー３を開けて、そしてガラス板７が透明である場合、光はルーフライナー１を通して入射することができ、あたかも透明なルーフエレメント２だけが存在しているかのようである。スライディングヘッドライナー３を開けてそしてガラス板７が半透明である場合、透明なルーフエレメント２を通って入る光は半透明のガラス板７により部分的に反射される。光は車室内に強く散乱されて到達する。スライディングヘッドライナー３を閉め、平面照明ユニット６のスイッチを入れそしてガラス板７が透明である場合、平面照明ユニット６の光はガラス板７によって変化しない。スライディングヘッドライナー３を閉め、平面照明ユニット６のスイッチを入れそしてガラス板７が半透明である場合、平面照明ユニット６の光は強く散乱されて車室内に到達する。
【図面の簡単な説明】
【図１】ルーフライナーの断面の略図を示す。
【図２】ルーフライナーの断面の側面図を示す。
【図３】ルーフライナーにスイッチ可能なガラス板を付加したものの図２と同様の側面図を示す。
【符号の説明】
１  ルーフライナー
２  ルーフエレメント
３  スライディングヘッドライナー
４  ルーフ本体
５  収納スペース
６  平面照明ユニット
７  スイッチ可能なガラス板
【図１】
0003547081.tif 000002
【図２】
0003547081.tif 000003
【図３】
0003547081.tif 000004